(57)【特許請求の範囲】
【請求項１】
一つ以上の下りcomponent carrierが設定された端末であって、
各下りcomponent carrierに割り当てられた下りデータのリソースを示す下り割当情報を検出する制御情報検出部と、
検出された前記下り割当情報によって示される前記リソースで送信された前記下りデータを復号する復号部と、
復号された前記下りデータに対する応答信号を送信する送信制御部と、
を有し、
前記応答信号は、前記下りデータの復号の成否、又は、前記復号の成否を送信しないＤＴＸを示し、
第１の下りcomponent carrierと第２の下りcomponent carrierを含む、複数の下りcomponent carrierが設定された場合、前記複数の下りcomponent carrierにおける複数の下りデータに対する複数の応答信号が、前記複数の下りデータそれぞれの復号の成否に応じた位相点及び上り制御チャネルリソース番号を用いて送信され、
前記第２の下りcomponent carrierにおける下りデータに対する応答信号がＤＴＸを示す位相点であって、当該位相点によって前記第１の下りcomponent carrierにおける下りデータに対する応答信号が示す復号の成否と、前記第１の下りcomponent carrierのみが設定された場合に、当該位相点によって前記第１のcomponent carrierにおける下りデータに対する応答信号が示す復号の成否とが同じである、
端末。
【請求項２】
前記第２の下りcomponent carrierにおける下りデータに対する応答信号がＤＴＸを示す位相点及び上り制御チャネルリソース番号であって、当該位相点及び当該リソース番号によって前記第１の下りcomponent carrierにおける下りデータに対する応答信号が示す復号の成否と、前記第１の下りcomponent carrierのみが設定された場合に、当該位相点及び当該リソース番号によって前記第１のcomponent carrierにおける下りデータに対する応答信号が示す復号の成否とが同じである、
請求項１に記載の端末。
【請求項３】
前記下り割当情報は、基地局からコントロール・チャネル・エレメント（ＣＣＥ）で送信され、
上り制御チャネルリソース番号が、前記ＣＣＥの番号に対応づけられ、
前記第２の下りcomponent carrierにおける下りデータに対する応答信号がＤＴＸを示す位相点及び前記ＣＣＥの番号に対応付けられたリソース番号であって、当該位相点及び当該リソース番号によって前記第１の下りcomponent carrierにおける下りデータに対する応答信号が示す復号の成否と、前記第１の下りcomponent carrierのみが設定された場合に、当該位相点及び前記ＣＣＥの番号に対応付けられたリソース番号によって前記第１のcomponent carrierにおける下りデータに対する応答信号が示す復号の成否とが同じである、
請求項１に記載の端末。
【請求項４】
carrier aggregationが適用される場合に、前記第１の下りcomponent carrierと前記第２の下りcomponent carrierを含む、前記複数の下りcomponent carrierが設定され、carrier aggregationが適用されない場合に、前記第１の下りcomponent carrierのみが設定される、
請求項１から３のいずれかに記載の端末。
【請求項５】
一つ以上の下りcomponent carrierが設定された端末であって、
各下りcomponent carrierに割り当てられた下りデータのリソースを示す下り割当情報を検出する制御情報検出部と、
検出された前記下り割当情報によって示される前記リソースで送信された前記下りデータを復号する復号部と、
復号された前記下りデータに対する応答信号を送信する送信制御部と、
を有し、
前記応答信号は、前記下りデータの復号の成否、又は、前記復号の成否を送信しないＤＴＸを示し、
第１の下りcomponent carrierと第２の下りcomponent carrierを含む、複数の下りcomponent carrierが設定された場合、前記複数の下りcomponent carrierにおける複数の下りデータに対する所定数の複数の応答信号が、前記複数の下りデータそれぞれの復号の成否に応じた位相点及び上り制御チャネルリソース番号を用いて送信され、
前記所定数の複数の応答信号のうち、前記第２の下りcomponent carrierにおける下りデータに対する応答信号がＤＴＸを示す位相点であって、当該位相点によって前記第１の下りcomponent carrierにおける下りデータに対する応答信号が示す復号の成否と、前記所定数よりも１少ない数の応答信号が送信される場合に、当該位相点によって応答信号が示す復号の成否とが同じである、
端末。
【請求項６】
前記所定数の複数の応答信号のうち、前記第２の下りcomponent carrierにおける下りデータに対する応答信号がＤＴＸを示す位相点及び上り制御チャネルリソース番号であって、当該位相点及び当該リソース番号が示す前記第１の下りcomponent carrierにおける下りデータの復号の成否と、前記所定数よりも１少ない数の応答信号が送信される場合に、当該位相点及び当該リソース番号によって応答信号が示す復号の成否とが同じである、
請求項５に記載の端末。
【請求項７】
前記下り割当情報は、基地局からコントロール・チャネル・エレメント（ＣＣＥ）で送信され、
上り制御チャネルリソース番号が、前記ＣＣＥの番号に対応づけられ、
前記所定数の複数の応答信号のうち、前記第２の下りcomponent carrierにおける下りデータに対する応答信号がＤＴＸを示す位相点及び前記ＣＣＥの番号に対応付けられたリソース番号であって、当該位相点及び当該リソース番号が示す前記第１の下りcomponent carrierにおける下りデータの復号の成否と、前記所定数よりも１少ない数の応答信号が送信される場合に、当該位相点及び前記ＣＣＥの番号に対応付けられたリソース番号によって示す復号の成否とが同じである、
請求項５に記載の端末。
【請求項８】
前記復号の成否は、ＡＣＫ又はＮＡＣＫで示される、
請求項１から７のいずれかに記載の端末。
【請求項９】
前記ＤＴＸは、前記下りデータに対応する下り割当情報が検出されなかったことを示す、
請求項１から８のいずれかに記載の端末。
【請求項１０】
前記下り割当情報は、基地局からコントロール・チャネル・エレメント（ＣＣＥ）で送信され、
前記上り制御チャネルリソース番号が、前記ＣＣＥの番号に対応づけられている、
請求項１から９のいずれかに記載の端末。
【請求項１１】
前記位相点は、ＢＰＳＫ変調又はＱＰＳＫ変調の位相点である、
請求項１から１０のいずれかに記載の端末。
【請求項１２】
前記複数の下りデータの復号の成否の組み合わせが、位相点及び上り制御チャネルリソース番号に対応付けられている、
請求項１から１１のいずれかに記載の端末。
【請求項１３】
複数の異なる前記組み合わせが、それぞれ、複数の異なる位相点及び複数の異なる上り制御チャネルリソース番号に対応づけられている、
請求項１２に記載の端末。
【請求項１４】
一つ以上の下りcomponent carrierが設定された端末から応答信号を送信する送信方法であって、
各下りcomponent carrierに割り当てられた下りデータのリソースを示す下り割当情報を検出する工程と、
検出された前記下り割当情報によって示される前記リソースで送信された前記下りデータを復号する工程と、
復号された前記下りデータに対する応答信号を送信する工程と、
を有し、
前記応答信号は、前記下りデータの復号の成否、又は、前記復号の成否を送信しないＤＴＸを示し、
第１の下りcomponent carrierと第２の下りcomponent carrierを含む、複数の下りcomponent carrierが設定された場合、前記複数の下りcomponent carrierにおける複数の下りデータに対する複数の応答信号を、前記複数の下りデータそれぞれの復号の成否に応じた位相点及び上り制御チャネルリソース番号を用いて送信し、
前記第２の下りcomponent carrierにおける下りデータに対する応答信号がＤＴＸを示す位相点であって、当該位相点によって前記第１の下りcomponent carrierにおける下りデータに対する応答信号が示す復号の成否と、前記第１の下りcomponent carrierのみが設定された場合に、当該位相点によって前記第１のcomponent carrierにおける下りデータに対する応答信号が示す復号の成否とが同じである、
送信方法。
【請求項１５】
一つ以上の下りcomponent carrierが設定された端末から応答信号を送信する送信方法であって、
各下りcomponent carrierに割り当てられた下りデータのリソースを示す下り割当情報を検出する工程と、
検出された前記下り割当情報によって示される前記リソースで送信された前記下りデータを復号する工程と、
復号された前記下りデータに対する応答信号を送信する工程と、
を有し、
前記応答信号は、前記下りデータの復号の成否、又は、前記復号の成否を送信しないＤＴＸを示し、
第１の下りcomponent carrierと第２の下りcomponent carrierを含む、複数の下りcomponent carrierが設定された場合、前記複数の下りcomponent carrierにおける複数の下りデータに対する所定数の複数の応答信号が、前記複数の下りデータそれぞれの復号の成否に応じた位相点及び上り制御チャネルリソース番号を用いて送信され、
前記所定数の複数の応答信号のうち、前記第２の下りcomponent carrierにおける下りデータに対する応答信号がＤＴＸを示す位相点であって、当該位相点によって前記第１の下りcomponent carrierにおける下りデータに対する応答信号が示す復号の成否と、前記所定数よりも１少ない数の応答信号が送信される場合に、当該位相点によって応答信号が示す復号の成否とが同じである、
送信方法。
【請求項１６】
一つ以上の下りcomponent carrierが設定された端末における処理を制御する集積回路であって、
各下りcomponent carrierに割り当てられた下りデータのリソースを示す下り割当情報を検出する処理と、
検出された前記下り割当情報によって示される前記リソースで送信された前記下りデータを復号する処理と、
復号された前記下りデータに対する応答信号を送信する処理と、
を制御し、
前記応答信号は、前記下りデータの復号の成否、又は、前記復号の成否を送信しないＤＴＸを示し、
第１の下りcomponent carrierと第２の下りcomponent carrierを含む、複数の下りcomponent carrierが設定された場合、前記複数の下りcomponent carrierにおける複数の下りデータに対する複数の応答信号を、前記複数の下りデータそれぞれの復号の成否に応じた位相点及び上り制御チャネルリソース番号を用いて送信し、
前記第２の下りcomponent carrierにおける下りデータに対する応答信号がＤＴＸを示す位相点であって、当該位相点によって前記第１の下りcomponent carrierにおける下りデータに対する応答信号が示す復号の成否と、前記第１の下りcomponent carrierのみが設定された場合に、当該位相点によって前記第１のcomponent carrierにおける下りデータに対する応答信号が示す復号の成否とが同じである、
集積回路。
【請求項１７】
一つ以上の下りcomponent carrierが設定された端末における処理を制御する集積回路であって、
各下りcomponent carrierに割り当てられた下りデータのリソースを示す下り割当情報を検出する処理と、
検出された前記下り割当情報によって示される前記リソースで送信された前記下りデータを復号する処理と、
復号された前記下りデータに対する応答信号を送信する処理と、
を制御し、
前記応答信号は、前記下りデータの復号の成否、又は、前記復号の成否を送信しないＤＴＸを示し、
第１の下りcomponent carrierと第２の下りcomponent carrierを含む、複数の下りcomponent carrierが設定された場合、前記複数の下りcomponent carrierにおける複数の下りデータに対する所定数の複数の応答信号が、前記複数の下りデータそれぞれの復号の成否に応じた位相点及び上り制御チャネルリソース番号を用いて送信され、
前記所定数の複数の応答信号のうち、前記第２の下りcomponent carrierにおける下りデータに対する応答信号がＤＴＸを示す位相点であって、当該位相点によって前記第１の下りcomponent carrierにおける下りデータに対する応答信号が示す復号の成否と、前記所定数よりも１少ない数の応答信号が送信される場合に、当該位相点によって応答信号が示す復号の成否とが同じである、
集積回路。
【発明の詳細な説明】
【技術分野】
【０００１】
本発明は、端末装置及び再送制御方法に関する。
【背景技術】
【０００２】
３ＧＰＰ  ＬＴＥでは、下り回線の通信方式としてＯＦＤＭＡ（Orthogonal Frequency Division Multiple Access）が採用されている。３ＧＰＰ  ＬＴＥが適用された無線通信システムでは、基地局が予め定められた通信リソースを用いて同期信号(Synchronization Channel：ＳＣＨ)及び報知信号（Broadcast Channel：ＢＣＨ）を送信する。そして、端末は、まず、ＳＣＨを捕まえることによって基地局との同期を確保する。その後、端末は、ＢＣＨ情報を読むことにより基地局独自のパラメータ(例えば、周波数帯域幅など)を取得する（非特許文献１、２、３参照）。【０００３】
また、端末は、基地局独自のパラメータの取得が完了した後、基地局に対して接続要求を行うことにより、基地局との通信を確立する。基地局は、通信が確立された端末に対して、必要に応じてＰＤＣＣＨ(Physical Downlink Control CHannel)を介して制御情報を送信する。【０００４】
そして、端末は、受信したＰＤＣＣＨ信号に含まれる複数の制御情報をそれぞれ「ブラインド判定」する。すなわち、制御情報は、ＣＲＣ（Cyclic Redundancy Check）部分を含み、このＣＲＣ部分は、基地局において、送信対象端末の端末ＩＤによってマスクされる。従って、端末は、受信した制御情報のＣＲＣ部分を自機の端末ＩＤでデマスクしてみるまでは、自機宛の制御情報であるか否かを判定できない。このブラインド判定では、デマスクした結果、ＣＲＣ演算がＯＫとなれば、その制御情報が自機宛であると判定される。【０００５】
また、３ＧＰＰ  ＬＴＥでは、基地局から端末への下り回線データに対してＡＲＱ（Automatic Repeat Request）が適用される。つまり、端末は下り回線データの誤り検出結果を示す応答信号を基地局へフィードバックする。端末は下り回線データに対しＣＲＣを行って、ＣＲＣ＝ＯＫ（誤り無し）であればＡＣＫ（Acknowledgment）を、ＣＲＣ＝ＮＧ（誤り有り）であればＮＡＣＫ（Negative Acknowledgment）を応答信号として基地局へフィードバックする。この応答信号(つまり、ＡＣＫ／ＮＡＣＫ信号)のフィードバックには、ＰＵＣＣＨ(Physical Uplink Control Channel)等の上り回線制御チャネルが用いられる。【０００６】
ここで、基地局から送信される上記制御情報には、基地局が端末に対して割り当てたリソース情報等を含むリソース割当情報が含まれる。この制御情報の送信には、前述の通りＰＤＣＣＨが用いられる。このＰＤＣＣＨは、１つ又は複数のＬ１／Ｌ２ＣＣＨ（L1/L2 Control Channel）から構成される。各Ｌ１／Ｌ２ＣＣＨは、１つ又は複数のＣＣＥ（Control Channel Element）から構成される。すなわち、ＣＣＥは、制御情報をＰＤＣＣＨにマッピングするときの基本単位である。また、１つのＬ１／Ｌ２ＣＣＨが複数のＣＣＥから構成される場合には、そのＬ１／Ｌ２ＣＣＨには連続する複数のＣＣＥが割り当てられる。基地局は、リソース割当対象端末に対する制御情報の通知に必要なＣＣＥ数に従って、そのリソース割当対象端末に対してＬ１／Ｌ２ＣＣＨを割り当てる。そして、基地局は、このＬ１／Ｌ２ＣＣＨのＣＣＥに対応する物理リソースにマッピングして制御情報を送信する。【０００７】
またここで、各ＣＣＥは、ＰＵＣＣＨの構成リソースと１対１に対応付けられている。従って、Ｌ１／Ｌ２ＣＣＨを受信した端末は、このＬ１／Ｌ２ＣＣＨを構成するＣＣＥに対応するＰＵＣＣＨの構成リソースを特定し、このリソースを用いて応答信号を基地局へ送信する。ただし、Ｌ１／Ｌ２ＣＣＨが連続する複数のＣＣＥを占有する場合には、端末は、複数のＣＣＥにそれぞれ対応する複数のＰＵＣＣＨ構成リソースのうち一つ（例えば、一番Ｉｎｄｅｘが小さいＣＣＥに対応するＰＵＣＣＨ構成リソース）を利用して、応答信号を基地局へ送信する。こうして下り回線の通信リソースが効率良く使用される。【０００８】
複数の端末から送信される複数の応答信号は、図１に示すように、時間軸上でZero Auto-correlation特性を持つＺＡＣ（Zero Auto-correlation）系列、ウォルシュ（Walsh）系列、及び、ＤＦＴ(Discrete Fourier Transform)系列によって拡散され、ＰＵＣＣＨ内でコード多重されている。図１において（Ｗ０,Ｗ１,Ｗ２,Ｗ３）は系列長４のウォルシュ系列を表わし、（Ｆ０,Ｆ１,Ｆ２）は系列長３のＤＦＴ系列を表す。図１に示すように、端末では、ＡＣＫ又はＮＡＣＫの応答信号が、まず周波数軸上でＺＡＣ系列（系列長１２）によって１ＳＣ−ＦＤＭＡシンボルに対応する周波数成分へ１次拡散される。次いで１次拡散後の応答信号及び参照信号としてのＺＡＣ系列がウォルシュ系列（系列長４：Ｗ０〜Ｗ３）、ＤＦＴ系列（系列長３：Ｆ０〜Ｆ３）それぞれに対応させられて２次拡散される。さらに、２次拡散された信号が、ＩＦＦＴ（Inverse Fast Fourier Transform）によって時間軸上の系列長１２の信号に変換される。そして、ＩＦＦＴ後の信号それぞれに対しＣＰが付加され、７つのＳＣ−ＦＤＭＡシンボルからなる１スロットの信号が形成される。【０００９】
異なる端末からの応答信号同士は、異なる巡回シフト量（Cyclic shift Index）に対応するＺＡＣ系列、または、異なる系列番号（Orthogonal cover Index : OC index）に対応する直交符号系列を用いて拡散されている。直交符号系列は、ウォルシュ系列とＤＦＴ系列との組である。また、直交符号系列はブロックワイズ拡散コード系列(Block-wise spreading code)と称されることもある。従って、基地局は、従来の逆拡散及び相関処理を用いることにより、これらコード多重された複数の応答信号を分離することができる（非特許文献４参照）。【００１０】
ただし、各端末が各サブフレームにおいて自分宛の下り割当制御信号をブラインド判定するので、端末側では、必ずしも下り割当制御信号の受信が成功するとは限らない。端末が或る下り単位バンドにおける自分宛の下り割当制御信号の受信に失敗した場合、端末は、当該下り単位バンドにおいて自分宛の下り回線データが存在するか否かさえも知り得ない。従って、或る下り単位バンドにおける下り割当制御信号の受信に失敗した場合、端末は、当該下り単位バンドにおける下り回線データに対する応答信号も生成しない。このエラーケースは、端末側で応答信号の送信が行われないという意味での、応答信号のDTX（DTX (Discontinuous transmission) of ACK/NACK signals）として定義されている。【００１１】
また、３ＧＰＰ  ＬＴＥよりも更なる通信の高速化を実現する３ＧＰＰ  ＬＴＥ−ａｄｖａｎｃｅｄの標準化が開始された。３ＧＰＰ  ＬＴＥ−ａｄｖａｎｃｅｄシステム（以下、「ＬＴＥ−Ａシステム」と呼ばれることがある）は、３ＧＰＰ  ＬＴＥシステム（以下、「ＬＴＥシステム」と呼ばれることがある）を踏襲する。３ＧＰＰ  ＬＴＥ−ａｄｖａｎｃｅｄでは、最大１Ｇｂｐｓ以上の下り伝送速度を実現するために、４０ＭＨｚ以上の広帯域周波数で通信可能な基地局及び端末が導入される見込みである。【００１２】
ＬＴＥ−Ａシステムにおいては、ＬＴＥシステムにおける伝送速度の数倍もの超高速伝送速度による通信、及び、ＬＴＥシステムに対する後方互換性（バックワードコンパチビリティー：Backward Compatibility）を同時に実現するために、ＬＴＥ−Ａシステム向けの帯域が、ＬＴＥシステムのサポート帯域幅である２０ＭＨｚ以下の「単位バンド」に区切られる。すなわち、「単位バンド」は、ここでは、最大２０ＭＨｚの幅を持つ帯域であって、通信帯域の基本単位として定義される。さらに、下り回線における「単位バンド」（以下、「下り単位バンド」という）は基地局から報知されるＢＣＨの中の下り周波数帯域情報によって区切られた帯域、または、下り制御チャネル（ＰＤＣＣＨ）が周波数領域に分散配置される場合の分散幅によって定義される帯域として定義されることもある。また、上り回線における「単位バンド」（以下、「上り単位バンド」という）は、基地局から報知されるＢＣＨの中の上り周波数帯域情報によって区切られた帯域、または、中心付近にＰＵＳＣＨ(Physical Uplink Shared CHannel)領域を含み、両端部にＬＴＥ向けのＰＵＣＣＨを含む２０ＭＨｚ以下の通信帯域の基本単位として定義されることもある。また、「単位バンド」は、３ＧＰＰ  ＬＴＥ−Ａｄｖａｎｃｅｄにおいて、英語でＣｏｍｐｏｎｅｎｔ  Ｃａｒｒｉｅｒ（ｓ）と表記されることがある。【００１３】
そして、ＬＴＥ−Ａシステムでは、その単位バンドを幾つか束ねた帯域を用いた通信、所謂Carrier aggregationがサポートされる。そして、一般的に上りに対するスループット要求と下りに対するスループット要求とは異なるので、ＬＴＥ−Ａシステムでは、任意のＬＴＥ−Ａシステム対応の端末（以下、「ＬＴＥ−Ａ端末」という）に対して設定される単位バンドの数が上りと下りで異なるCarrier aggregation、所謂Asymmetric carrier aggregationも検討されている。さらに、上りと下りで単位バンド数が非対称であり、且つ、各単位バンドの周波数帯域幅がそれぞれ異なる場合も、サポートされる。【００１４】
図２は、個別の端末に適用される非対称のCarrier aggregation及びその制御シーケンスの説明に供する図である。図２には、基地局の上りと下りの帯域幅及び単位バンド数が対称である例が示されている。【００１５】
図２において、端末１に対しては、２つの下り単位バンドと左側の１つの上り単位バンドを用いてCarrier aggregationを行うような設定(Configuration)が為される一方、端末２に対しては、端末１と同一の２つの下り単位バンドを用いるような設定が為されるにも拘らず、上り通信では右側の上り単位バンドを利用するような設定が為される。【００１６】
そして、端末１に着目すると、ＬＴＥ−Ａシステムを構成するＬＴＥ−Ａ基地局とＬＴＥ−Ａ端末との間では、図２Ａに示すシーケンス図に従って、信号の送受信が行われる。図２Ａに示すように、（１）端末１は、基地局との通信開始時に、左側の下り単位バンドと同期を取り、左側の下り単位バンドとペアになっている上り単位バンドの情報をＳＩＢ２(System Information Block Type 2)と呼ばれる報知信号から読み取る。（２）端末１は、この上り単位バンドを用いて、例えば、接続要求を基地局に送信することによって基地局との通信を開始する。（３）端末に対し複数の下り単位バンドを割り当てる必要があると判断した場合には、基地局は、端末に下り単位バンドの追加を指示する。ただし、この場合、上り単位バンド数は増えず、個別の端末である端末１において非対称Carrier aggregationが開始される。【００１７】
また、前述のCarrier aggregationが適用されるＬＴＥ−Ａでは、端末が一度に複数の下り単位バンドにおいて複数の下り回線データを受信することがある。ＬＴＥ−Ａでは、この複数の下り回線データに対する複数の応答信号の送信方法の一つとして、Channel Selection（Multiplexingとも呼ぶ）が検討されている。Channel Selectionでは、複数の下り回線データに関する誤り検出結果のパターンに応じて、応答信号に用いるシンボルだけでなく、応答信号をマッピングするリソースも変化させる。すなわち、Channel Selectionは、図３に示すように、複数の下り単位バンドで受信した複数の下り回線データに対する応答信号がそれぞれＡＣＫかＮＡＣＫかに基づいて、応答信号の位相点（すなわち、Constellation point）だけではなく、応答信号の送信に用いるリソースも変化させる手法である（非特許文献５、６、７参照）。【００１８】
ここで、上記した非対称のCarrier aggregationが端末に適用される場合のChannel SelectionによるＡＲＱ制御について、図３を援用して以下に詳述する。【００１９】
例えば、図３に示すように、端末１に対して、下り単位バンド１，２及び上り単位バンド１から成る単位バンドグループ（英語で「Component carrier set」と表記されることがある）が設定される場合には、下り単位バンド１，２のそれぞれのＰＤＣＣＨを介して下りリソース割当情報が基地局から端末１へ送信された後に、その下りリソース割当情報に対応するリソースで下り回線データが送信される。【００２０】
そして、単位バンド１における下りデータの受信に成功し、単位バンド２における下りデータの受信に失敗した場合（つまり、単位バンド１の応答信号がＡＣＫで、単位バンド２の応答信号がＮＡＣＫの場合）には、ＰＵＣＣＨ領域１内に含まれるＰＵＣＣＨリソースに応答信号がマッピングされ、且つ、その応答信号の位相点として、第１の位相点(例えば、(1,0)等の位相点)が用いられる。また、単位バンド１における下りデータの受信に成功し、かつ、単位バンド２における下りデータの受信にも成功した場合には、ＰＵＣＣＨ領域２内に含まれるＰＵＣＣＨリソースに応答信号がマッピングされ、且つ、第１の位相点が用いられる。すなわち、下り単位バンドが２つの場合、誤り検出結果のパターンが４パターンあるので、２つのリソースと２種類の位相点との組み合わせにより、その４パターンを表すことができる。
【先行技術文献】
【非特許文献】
【００２１】
【非特許文献１】3GPP TS 36.211 V8.7.0, “Physical Channels and Modulation (Release 8),” May 2009
【非特許文献２】3GPP TS 36.212 V8.7.0, “Multiplexing and channel coding (Release 8),” May 2009
【非特許文献３】3GPP TS 36.213 V8.7.0, “Physical layer procedures (Release 8),” May 2009
【非特許文献４】Seigo Nakao et al. “Performance enhancement of E-UTRA uplink control channel in fast fading environments”, Proceeding of VTC2009 spring, April, 2009
【非特許文献５】ZTE, 3GPP RAN1 meeting #57bis, R1-092464, “Uplink Control Channel Design for LTE-Advanced,” June 2009
【非特許文献６】Panasonic, 3GPP RAN1 meeting #57bis, R1-092535, “UL ACK/NACK transmission on PUCCH for carrier aggregation,” June 2009
【非特許文献７】Nokia Siemens Networks, Nokia, 3GPP RAN1 meeting #57bis, R1-092572, “UL control signalling for carrier aggregation,” June 2009
【発明の概要】
【発明が解決しようとする課題】
【００２２】
ところで、前述の通り、端末は基地局から送信された下り割当制御情報の受信に必ずしも成功するとは限らず、端末側で或る下り単位バンドを介して送信された下り回線データの存在を認識できない場合がある。この下り回線データが存在していることを認識できないことによる不都合を回避するために、例えば非特許文献７では、全ての単位バンドを介して送信される下り割当制御情報の中に、ＤＡＩ（Downlink Assignment Indicator）が挿入される。このＤＡＩは、下り回線データに割り当てられた下り単位バンドを示す。端末は、第１の下り単位バンドの下り割当制御情報の受信に成功しなくても、第２の下り単位バンドで下り割当制御情報の受信に成功した場合には、この下り割当制御情報に含まれるＤＡＩに基づいて、第１の下り単位バンドにおける自装置宛の下り回線データの存在を認識することができる。【００２３】
このＤＡＩを、Carrier aggregation時のChannel selectionに適用してみると、端末は応答信号の送信制御を次のように行うことが考えられる。図４は、ＤＡＩをCarrier aggregation時のChannel selectionに適用した場合の、端末が応答信号の送信に用いるリソース(横軸)と、端末が下り割当制御情報を受信した単位バンド番号(縦軸)との関係を示す図である。【００２４】
図４に示す通り、例えば基地局が端末に対して下り単位バンド１においてのみ下り割当制御情報を送信した場合、端末は、割当制御情報が示すデータの復号結果によってＡＣＫ又はＮＡＣＫを、ＰＵＣＣＨリソース１を用いて送信する（図４のＤＬ１とＰＵＣＣＨリソース１とで特定されるセル（１，１）のコンスタレーションを参照）。このセル（１，１）のコンスタレーションでは、ＡＣＫは（0,-j）の位相点に対応付けられ、ＮＡＣＫは(0,j)の位相点に対応付けられている。ただし、端末がこの下り割当制御情報の受信に失敗した場合には端末側では自端末宛のデータが存在することを知りえないので、結果として、ＡＣＫもＮＡＣＫも存在しない状態、つまり、ＤＴＸの状態となる。【００２５】
また、基地局が下り単位バンド１及び２において下り割当制御情報を端末宛に送信した場合、その端末は、下り回線データの受信成否状況に応じた応答信号を、ＰＵＣＣＨリソース１又はＰＵＣＣＨリソース２のいずれかを用いて基地局にフィードバックする（図４のセル（２，１）及びセル（２，２）のコンスタレーションを参照）。例えば、端末が下り単位バンド１及び２で送信された下り割当制御情報の受信及びその制御情報が示す下り回線データの受信に成功した場合には、端末は、ＰＵＣＣＨリソース２の(-1,0)の位相点を用いて、基地局に対してＡＣＫ／ＡＣＫ(図中のＡ／Ａ)という状態を通知する。また、端末が下り単位バンド１で送信された下り割当制御情報の受信及びその制御情報が示す下り回線データの受信に成功したが、端末側で下り単位バンド２で送信された下り割当制御情報の受信に失敗した場合、端末は、下り単位バンド１における下り割当制御情報に含まれるＤＡＩ情報より下り単位バンド２で自端末宛のデータ割当があったことを認識する。この場合、端末は、ＰＵＣＣＨリソース１の位相点(0,-j)を用いて、ＡＣＫ／ＤＴＸ(図中のＡ／Ｄ)という状態を基地局に通知する。ただし、端末が２つの下り割当制御情報のいずれの受信にも失敗した場合には、端末側では自端末へのデータ割当を知りえず、結果として何も応答信号を送信しない。なお、図４において、Ｎは、ＮＡＣＫを意味する。【００２６】
ここで、仮に基地局が端末に対してＤＡＩを送信しない場合には、次のような問題が発生する。図５は、基地局が下り単位バンド１，２，３において端末に対して下り割当制御情報及びデータを送信する一方で、端末が下り単位バンド１，３でしか下り割当制御情報の受信に成功しなかった場合の概念図である。図５Ａは、基地局が認識している、Channel selectionのマッピングであり、図５Ｂは、端末が認識している、Channel selectionのマッピングである。【００２７】
ここでは上述の通り、基地局が端末に対してＤＡＩを送信しないと仮定している。従って、下り単位バンド１，３で送信されている下り回線データの両方の受信に成功した場合、端末は、下り単位バンド１と３のみで基地局からデータが送信されていると誤った認識をしてしまう。そして、この認識に基づいて、端末は、ＰＵＣＣＨリソース３の、ＡＣＫ／ＡＣＫに対応する位相点(-1,0)を用いて、応答信号をフィードバックする。【００２８】
しかしながら、下り単位バンド１，２，３において端末にデータを送信したと認識している基地局は、ＰＵＣＣＨリソース３で位相点(-1,0)の応答信号がフィードバックされてくると、この応答信号に基づいて端末の受信状況がＡＣＫ／ＡＣＫ／ＡＣＫの状態であると認識する。そして、基地局は、その全てのデータの送信が成功したので再送の必要がないと認識するため、そのデータを廃棄する。この結果として、下り単位バンド２を介して送信された下り回線データ（下り回線データ２）が端末に未だ到達していないにも拘らず、端末は、下り回線データ２の再送を受けることができない。すなわち、下り回線データ２のＱｏＳが、著しく劣化してしまう。【００２９】
このように、ＤＡＩはChannel selectionを問題なく運用する上で重要な情報である一方、下り割当制御情報の情報サイズ自体が小さいことを考慮に入れると、ＤＡＩの送信に起因する下り割当制御情報のオーバーヘッド増加は、無視できない。【００３０】
本発明の目的は、複数の下り単位バンドを用いたCarrier aggregation通信が適用される場合に、下り割当制御情報のオーバーヘッドの増加を抑えつつ、各下り単位バンドで送信される下り回線データの品質を維持することができる端末装置及び再送制御方法を提供することである。
【課題を解決するための手段】
【００３１】
本発明の端末装置は、複数の下り単位バンドと少なくとも１つの上り単位バンドとを有する単位バンドグループを用いて基地局と通信する端末装置であって、前記単位バンドグループ内の少なくとも１つの下り単位バンドの下り制御チャネルで送信された下り割当制御情報を受信する制御情報受信手段と、前記下り割当制御情報が示す下りデータチャネルで送信された下りデータを受信する下りデータ受信手段と、前記受信された下りデータの受信誤りを検出する誤り検出手段と、前記誤り検出手段で得られた誤り検出結果と、応答信号の送信ルールテーブルとに基づいて、応答信号を前記上り単位バンドの上り制御チャネルで送信する応答制御手段と、を具備し、前記送信ルールテーブルでは、前記誤り検出手段で得られる誤り検出結果のパターン候補と前記応答制御手段が送信する応答信号の位相点とが対応づけられ、パターンに含まれるＡＣＫの数が異なるパターン候補群には互いに異なる位相点が対応付けられ、ＡＣＫの数が同じであるパターン候補群には同じ位相点が対応付けられる、を具備する。【００３２】
本発明の再送制御方法は、複数の下り単位バンドと少なくとも１つの上り単位バンドとを有する単位バンドグループ内の少なくとも１つの下り単位バンドの下り制御チャネルで送信された下り割当制御情報を受信する制御情報受信ステップと、前記下り割当制御情報が示す下りデータチャネルで送信された下りデータを受信する下りデータ受信ステップと、前記受信された下りデータの受信誤りを検出する誤り検出ステップと、前記誤り検出手段で得られた誤り検出結果のパターンに基づいて応答信号を前記上り単位バンドの上り制御チャネルで送信するステップであって、誤り検出結果のパターンにおけるＡＣＫの数に応じて、応答信号の位相点を異ならせ、且つ、ＡＣＫの数が同じである誤り検出結果のパターンが複数有る場合、パターン間で応答信号の位相点を一致させる応答制御ステップと、を具備する。
【発明の効果】
【００３３】
本発明によれば、複数の下り単位バンドを用いたCarrier aggregation通信が適用される場合に、下り割当制御情報のオーバーヘッドの増加を抑えつつ、各下り単位バンドで送信される下り回線データの品質を維持することができる端末装置及び再送制御方法を提供することができる。
【図面の簡単な説明】
【００３４】
【図１】応答信号及び参照信号の拡散方法を示す図
【図２】個別の端末に適用される非対称のCarrier aggregation及びその制御シーケンスの説明に供する図
【図３】Carrier aggregationが端末に適用される場合のＡＲＱ制御の説明に供する図
【図４】ＤＡＩ（Downlink Assignment Indicator）をCarrier aggregation時のChannel selectionに適用した場合の、端末が応答信号の送信に用いるリソースと、端末が下り割当制御情報を受信した単位バンド番号との関係を示す図
【図５】基地局が下り単位バンド１，２，３において端末に対して下り割当制御情報及びデータを送信する一方で、端末が下り単位バンド１，３でしか下り割当制御情報の受信に成功しなかった場合の概念図
【図６】本発明の実施の形態１に係る基地局の構成を示すブロック図
【図７】本発明の実施の形態１に係る端末の構成を示すブロック図
【図８】端末による応答信号の送信方法の説明に供する図
【図９】端末による応答信号の送信方法の説明に供する図
【図１０】端末による応答信号の送信方法の説明に供する図
【図１１】基地局による再送制御方法の説明に供する図
【図１２】基地局による再送制御方法の説明に供する図
【図１３】基地局による再送制御方法の説明に供する図
【図１４】実施の形態２に係る端末による応答信号の送信方法の説明に供する図
【図１５】実施の形態２に係る端末による応答信号の送信方法の説明に供する図
【図１６】実施の形態２に係る端末による応答信号の送信方法の説明に供する図
【図１７】実施の形態２に係る基地局による再送制御方法の説明に供する図
【図１８】実施の形態２に係る基地局による再送制御方法の説明に供する図
【図１９】実施の形態２に係る基地局による再送制御方法の説明に供する図
【図２０】実施の形態２に係る端末による応答信号の送信方法のバリエーションの説明に供する図
【発明を実施するための形態】
【００３５】
以下、本発明の実施の形態について図面を参照して詳細に説明する。なお、実施の形態において、同一の構成要素には同一の符号を付し、その説明は重複するので省略する。
【００３６】
（実施の形態１）
［通信システムの概要］
後述する基地局１００及び端末２００を含む通信システムでは、上り単位バンド及び上り単位バンドと対応づけられた複数の下り単位バンドを使用した通信、つまり、端末２００独自の非対称Carrier aggregationによる通信が行われる。また、この通信システムには、端末２００と異なり、Carrier aggregationによる通信を行う能力が無く、１つの下り単位バンドとこれに対応づけられた１つの上り単位バンドによる通信（つまり、Ｃａｒｒｉｅｒ  ａｇｇｒｅｇａｔｉｏｎによらない通信）を行う端末も含まれている。
【００３７】
従って、基地局１００は、非対称Carrier aggregationによる通信及びCarrier aggregationによらない通信の両方をサポートできるように構成されている。
【００３８】
また、基地局１００と端末２００との間でも、基地局１００による端末２００に対するリソース割当によっては、Carrier aggregationによらない通信が行われることも可能である。
【００３９】
また、この通信システムでは、Carrier aggregationｎによらない通信が行われる場合には、従来通りのＡＲＱが行われる一方、Carrier aggregationによる通信が行われる場合には、ＡＲＱにおいてChannel Selectionが採用される。すなわち、この通信システムは、例えば、ＬＴＥ−Ａシステムであり、基地局１００は、例えば、ＬＴＥ−Ａ基地局であり、端末２００は、例えば、ＬＴＥ−Ａ端末である。また、Carrier aggregationによる通信を行う能力の無い端末は、例えば、ＬＴＥ端末である。
【００４０】
そして、以下では、次の事項を前提として説明する。すなわち、予め基地局１００と端末２００の間で、端末２００独自の非対称Carrier aggregationが構成されており、端末２００が用いるべき下り単位バンド及び上り単位バンドの情報が、基地局１００と端末２００との間で共有されている。
【００４１】
［基地局の構成］
図６は、本発明の実施の形態１に係る基地局１００の構成を示すブロック図である。図６において、基地局１００は、制御部１０１と、制御情報生成部１０２と、符号化部１０３と、変調部１０４と、符号化部１０５と、データ送信制御部１０６と、変調部１０７と、マッピング部１０８と、ＩＦＦＴ部１０９と、ＣＰ付加部１１０と、無線送信部１１１と、無線受信部１１２と、ＣＰ除去部１１３と、ＰＵＣＣＨ抽出部１１４と、逆拡散部１１５と、系列制御部１１６と、相関処理部１１７と、判定部１１８と、再送制御信号生成部１１９とを有する。
【００４２】
制御部１０１は、リソース割当対象端末２００に対して、制御情報を送信するための下りリソース（つまり、下り制御情報割当リソース）、及び、下り回線データを送信するための下りリソース（つまり、下りデータ割当リソース）を割り当てる（Assignする）。このリソース割当は、リソース割当対象端末２００に設定される単位バンドグループに含まれる下り単位バンドにおいて行われる。また、下り制御情報割当リソースは、各下り単位バンドにおける下り制御チャネル（ＰＤＣＣＨ）に対応するリソース内で選択される。また、下りデータ割当リソースは、各下り単位バンドにおける下りデータチャネル（ＰＤＳＣＨ）に対応するリソース内で選択される。また、リソース割当対象端末２００が複数有る場合には、制御部１０１は、リソース割当対象端末２００のそれぞれに異なるリソースを割り当てる。
【００４３】
下り制御情報割当リソースは、上記したＬ１／Ｌ２ＣＣＨと同等である。すなわち、下り制御情報割当リソースは、１つ又は複数のＣＣＥから構成される。また、各下り単位バンドにおける各ＣＣＥは、単位バンドグループ内の上り単位バンドにおける上り制御チャネル領域（ＰＵＣＣＨ領域）の構成リソースと１対１に対応づけられている。すなわち、下り単位バンドＮにおける各ＣＣＥは、単位バンドグループ内の上り単位バンドにおけるＰＵＣＣＨ領域Ｎの構成リソースと１対１に対応付けられている。
【００４４】
また、制御部１０１は、リソース割当対象端末２００に対して制御情報を送信する際に用いる符号化率を決定する。この符号化率に応じて制御情報のデータ量が異なるので、このデータ量の制御情報をマッピング可能な数のＣＣＥを持つ下り制御情報割当リソースが、制御部１０１によって割り当てられる。
【００４５】
そして、制御部１０１は、制御情報生成部１０２に対して、下りデータ割当リソースに関する情報を制御情報生成部１０２へ出力する。また、制御部１０１は、符号化部１０３に対して、符号化率に関する情報を出力する。また、制御部１０１は送信データ（つまり、下り回線データ）の符号化率を決定し、符号化部１０５に出力する。また、制御部１０１は、下りデータ割当リソース及び下り制御情報割当リソースに関する情報をマッピング部１０８に対して出力する。ただし、制御部１０１は下り回線データと当該下り回線データに対する下り制御情報を同一の下り単位バンドにマッピングするよう制御する。
【００４６】
制御情報生成部１０２は、下りデータ割当リソースに関する情報を含む制御情報を生成して符号化部１０３へ出力する。この制御情報は下り単位バンドごとに生成される。また、リソース割当対象端末２００が複数有る場合に、リソース割当対象端末２００同士を区別するために、制御情報には、宛先端末の端末ＩＤが含まれる。例えば、宛先端末の端末ＩＤでマスキングされたＣＲＣビットが制御情報に含まれる。この制御情報は、「下り割当制御情報」と呼ばれることがある。
【００４７】
符号化部１０３は、制御部１０１から受け取る符号化率に従って、制御情報を符号化し、符号化された制御情報を変調部１０４へ出力する。
【００４８】
変調部１０４は、符号化後の制御情報を変調し、得られた変調信号をマッピング部１０８へ出力する。
【００４９】
符号化部１０５は、宛先端末２００ごとの送信データ（つまり、下り回線データ）及び制御部１０１からの符号化率情報を入力として送信データを符号化し、データ送信制御部１０６に出力する。ただし、宛先端末２００に対して複数の下り単位バンドが割り当てられる場合には、各下り単位バンドで送信される送信データをそれぞれ符号化し、符号化後の送信データをデータ送信制御部１０６へ出力する。
【００５０】
データ送信制御部１０６は、初回送信時には、符号化後の送信データを保持するとともに変調部１０７へ出力する。符号化後の送信データは、宛先端末２００ごとに保持される。また、１つの宛先端末２００への送信データは、送信される下り単位バンドごとに保持される。これにより、宛先端末２００に送信されるデータ全体の再送制御だけでなく、下り単位バンドごとの再送制御も可能になる。
【００５１】
また、データ送信制御部１０６は、再送制御信号生成部１１９からある下り単位バンドで送信した下り回線データに対するＮＡＣＫまたはＤＴＸを受け取ると、この下り単位バンドに対応する保持データを変調部１０７へ出力する。データ送信制御部１０６は、再送制御信号生成部１１９からある下り単位バンドで送信した下り回線データに対するＡＣＫを受け取ると、この下り単位バンドに対応する保持データを削除する。
【００５２】
変調部１０７は、データ送信制御部１０６から受け取る符号化後の送信データを変調し、変調信号をマッピング部１０８へ出力する。
【００５３】
マッピング部１０８は、制御部１０１から受け取る下り制御情報割当リソースの示すリソースに、変調部１０４から受け取る制御情報の変調信号をマッピングし、ＩＦＦＴ部１０９へ出力する。
【００５４】
また、マッピング部１０８は、制御部１０１から受け取る下りデータ割当リソースの示すリソースに、変調部１０７から受け取る送信データの変調信号をマッピングし、ＩＦＦＴ部１０９へ出力する。
【００５５】
マッピング部１０８にて複数の下り単位バンドにおける複数のサブキャリアにマッピングされた制御情報及び送信データは、ＩＦＦＴ部１０９で周波数領域信号から時間領域信号に変換され、ＣＰ付加部１１０にてＣＰが付加されてＯＦＤＭ信号とされた後に、無線送信部１１１にてＤ／Ａ変換、増幅およびアップコンバート等の送信処理が施され、アンテナを介して端末２００へ送信される。
【００５６】
無線受信部１１２は、端末２００から送信された応答信号または参照信号をアンテナを介して受信し、応答信号または参照信号に対しダウンコンバート、Ａ／Ｄ変換等の受信処理を行う。
【００５７】
ＣＰ除去部１１３は、受信処理後の応答信号または参照信号に付加されているＣＰを除去する。
【００５８】
ＰＵＣＣＨ抽出部１１４は、受信信号に含まれる上り制御チャネル信号をＰＵＣＣＨ領域ごとに抽出し、抽出した信号を振り分ける。この上り制御チャネル信号には、端末２００から送信された応答信号及び参照信号が含まれている可能性がある。
【００５９】
逆拡散部１１５−Ｎ、相関処理部１１７−Ｎ、及び判定部１１８−Ｎは、ＰＵＣＣＨ領域Ｎで抽出された上り制御チャネル信号の処理を行う。基地局１００には、基地局１００が利用するＰＵＣＣＨ領域１〜Ｎのそれぞれに対応する逆拡散部１１５、相関処理部１１７、及び判定部１１８の処理系統が設けられている。
【００６０】
具体的には、逆拡散部１１５は、端末２００がそれぞれのＰＵＣＣＨ領域で２次拡散に用いるべき直交符号系列で応答信号に相当する部分の信号を逆拡散し、逆拡散後の信号を相関処理部１１７に出力する。また、逆拡散部１１５は、端末２００がそれぞれの上り単位バンドにおいて参照信号の拡散に用いるべき直交符号系列で参照信号に相当する部分の信号を逆拡散し、逆拡散後の信号を相関処理部１１７に出力する。
【００６１】
系列制御部１１６は、端末２００から送信される応答信号及び参照信号の拡散に用いられる可能性があるＺＡＣ系列を生成する。また、系列制御部１１６は、端末２００が用いる可能性のある符号リソース（例えば、循環シフト量）に基づいて、ＰＵＣＣＨ領域１〜Ｎのそれぞれで端末２００からの信号成分が含まれるべき相関窓を特定する。そして、系列制御部１１６は、特定した相関窓を示す情報および生成したＺＡＣ系列を相関処理部１１７に出力する。
【００６２】
相関処理部１１７は、系列制御部１１６から入力される相関窓を示す情報およびＺＡＣ系列を用いて、逆拡散部１１５から入力される信号と、端末２００において１次拡散に用いられる可能性のあるＺＡＣ系列との相関値を求めて判定部１１８に出力する。
【００６３】
判定部１１８は、相関処理部１１７から入力される相関値に基づいて、端末から送信された応答信号が、それぞれの下り単位バンドで送信されたデータに対してＡＣＫまたはＮＡＣＫのいずれかを示しているか、もしくはＤＴＸであるかを判定する。すなわち、判定部１１８は、相関処理部１１７から入力される相関値の大きさがある閾値以下であれば、端末２００は当該リソースを用いてＡＣＫもＮＡＣＫも送信していないと判断し、相関値の大きさが閾値以上であれば、更に当該応答信号がどの位相点を示しているかを同期検波によって判定する。そして、判定部１１８は、各ＰＵＣＣＨ領域における判定結果を再送制御信号生成部１１９へ出力する。
【００６４】
再送制御信号生成部１１９は、自装置が端末２００に対して下り割当制御情報及び下り回線データを送信した下り単位バンドの数、端末２００から送信されてきた応答信号が検出されたリソース識別情報、及び、その応答信号の位相点に基づいて、再送制御信号を生成する。具体的には、再送制御信号生成部１１９は、基地局１００が端末２００に対して、いくつの下り単位バンドを用いて下り割当制御情報及び下り回線データを送信したかに関する情報を保持している。そして、再送制御信号生成部１１９は、その保持している情報と判定部１１８から入力される情報と後述する解釈ルールテーブルに基づいて、各下り単位バンドで送信したデータを再送すべきか否かを判定し、判定結果に基づいて再送制御信号を生成する。
【００６５】
詳細には、初めに再送制御信号生成部１１９は、判定部１１８−１〜Ｎに対応するどのＰＵＣＣＨ領域において最大の相関値が検出されたかを判定する。次に、再送制御信号生成部１１９は、最大の相関値が検出されたＰＵＣＣＨ領域において送信された応答信号の位相点を特定し、そのＰＵＣＣＨ領域、その特定された位相点、及び自装置が端末２００に対して下り回線データを送信した下り単位バンドの数と対応する受信状況パターンを特定する。そして、再送制御信号生成部１１９は、特定された受信状況パターンに基づいて、各下り単位バンドにおいて送信されたデータに対するＡＣＫ信号又はＮＡＣＫ信号を個別に生成し、データ送信制御部１０６に出力する。ただし、再送制御信号生成部１１９は、各ＰＵＣＣＨ領域において検出された相関値の全てが或る閾値以下であれば、端末２００からは何も応答信号が送信されていないと判定し、全ての下り回線データに対してＤＴＸを生成し、データ送信制御部１０６に出力する。
【００６６】
判定部１１８及び再送制御信号生成部１１９の処理の詳細については、後述する。
【００６７】
［端末の構成］
図７は、本発明の実施の形態１に係る端末２００の構成を示すブロック図である。図７において、端末２００は、無線受信部２０１と、ＣＰ除去部２０２と、ＦＦＴ部２０３と、抽出部２０４と、復調部２０５と、復号部２０６と、判定部２０７と、制御部２０８と、復調部２０９と、復号部２１０と、ＣＲＣ部２１１と、応答信号生成部２１２と、変調部２１３と、１次拡散部２１４と、２次拡散部２１５と、ＩＦＦＴ部２１６と、ＣＰ付加部２１７と、無線送信部２１８とを有する。
【００６８】
無線受信部２０１は、基地局１００から送信されたＯＦＤＭ信号をアンテナを介して受信し、受信ＯＦＤＭ信号に対しダウンコンバート、Ａ／Ｄ変換等の受信処理を行う。
【００６９】
ＣＰ除去部２０２は、受信処理後のＯＦＤＭ信号に付加されているＣＰを除去する。
【００７０】
ＦＦＴ部２０３は、受信ＯＦＤＭ信号をＦＦＴして周波数領域信号に変換し、得られた受信信号を抽出部２０４へ出力する。
【００７１】
抽出部２０４は、入力される符号化率情報に従って、ＦＦＴ部２０３から受け取る受信信号から下り制御チャネル信号（ＰＤＣＣＨ信号）を抽出する。すなわち、符号化率に応じて下り制御情報割当リソースを構成するＣＣＥの数が変わるので、抽出部２０４は、その符号化率に対応する個数のＣＣＥを抽出単位として、下り制御チャネル信号を抽出する。また、下り制御チャネル信号は、下り単位バンドごとに抽出される。抽出された下り制御チャネル信号は、復調部２０５へ出力される。
【００７２】
また、抽出部２０４は、判定部２０７から受け取る自装置宛の下りデータ割当リソースに関する情報に基づいて、受信信号から下り回線データを抽出し、復調部２０９へ出力する。
【００７３】
復調部２０５は、抽出部２０４から受け取る下り制御チャネル信号を復調し、得られた復調結果を復号部２０６に出力する。
【００７４】
復号部２０６は、入力される符号化率情報に従って、復調部２０５から受け取る復調結果を復号して、得られた復号結果を判定部２０７に出力する。
【００７５】
判定部２０７は、復号部２０６から受け取る復号結果に含まれる制御情報が自装置宛の制御情報であるか否かをブラインド判定する。この判定は、上記した抽出単位に対応する復号結果を単位として行われる。例えば、判定部２０７は、自装置の端末ＩＤでＣＲＣビットをデマスキングし、ＣＲＣ＝ＯＫ（誤り無し）となった制御情報を自装置宛の制御情報であると判定する。そして、判定部２０７は、自装置宛の制御情報に含まれる、自装置に対する下りデータ割当リソースに関する情報を抽出部２０４へ出力する。
【００７６】
また、判定部２０７は、各下り単位バンドの下り制御チャネルにおいて、上記した自装置宛の制御情報がマッピングされていたＣＣＥをそれぞれ特定し、特定したＣＣＥの識別情報を制御部２０８へ出力する。
【００７７】
制御部２０８は、判定部２０７から受け取るＣＣＥ識別情報に基づいて、Ｎ番目の単位バンドにおいて受信された下り制御情報がマッピングされていたＣＣＥに対応するＰＵＣＣＨリソース(周波数・符号)、つまり、ＰＵＣＣＨ領域Ｎ内の「ＰＵＣＣＨリソースＮ」を特定する。
【００７８】
そして、制御部２０８は、ＣＲＣ部２１１から受け取る誤り検出結果に基づいて、応答信号の送信制御を行う。制御部２０８は、自装置宛の下り割当制御情報が検出された下り単位バンドのパターン、及び、その下り割当制御情報と対応する下り回線データの誤り検出結果のパターン（つまり、受信成否のパターン）に基づいて、後述する図８乃至図１０に示される応答信号の送信ルールのいずれかを用いて応答信号を送信する。
【００７９】
具体的には、制御部２０８は、ＣＲＣ部２１１から入力される各下り単位バンドにおける下り回線データの受信成否状況に基づいて、「ＰＵＣＣＨリソースＮ」のいずれを使用し、いずれの位相点を設定して信号を送信するかを、送信ルールテーブルを用いて決定する。そして、制御部２０８は、設定すべき位相点に関する情報を応答信号生成部２１２へ出力し、使用すべきＰＵＣＣＨリソースに対応するＺＡＣ系列及び循環シフト量を１次拡散部２１４へ出力し、周波数リソース情報をＩＦＦＴ部２１６に出力する。また、制御部２０８は、使用すべきＰＵＣＣＨリソースに対応する直交符号系列を２次拡散部２１５へ出力する。制御部２０８による、ＰＵＣＣＨリソース及び位相点の制御の詳細については後述する。
【００８０】
復調部２０９は、抽出部２０４から受け取る下り回線データを復調し、復調後の下り回線データを復号部２１０へ出力する。
【００８１】
復号部２１０は、復調部２０９から受け取る下り回線データを復号し、復号後の下り回線データをＣＲＣ部２１１へ出力する。
【００８２】
ＣＲＣ部２１１は、復号部２１０から受け取る復号後の下り回線データを生成し、ＣＲＣを用いて下り単位バンドごとに誤り検出し、ＣＲＣ＝ＯＫ（誤り無し）の場合にはＡＣＫを、ＣＲＣ＝ＮＧ（誤り有り）の場合にはＮＡＣＫを、制御部２０８へ出力する。また、ＣＲＣ部２１１は、ＣＲＣ＝ＯＫ（誤り無し）の場合には、復号後の下り回線データを受信データとして出力する。
【００８３】
応答信号生成部２１２は、制御部２０８から指示される応答信号の位相点に基づいて応答信号及び参照信号を生成し、変調部２１３へ出力する。
【００８４】
変調部２１３は、応答信号生成部２１２から入力される応答信号及び参照信号を変調して１次拡散部２１４へ出力する。
【００８５】
１次拡散部２１４は、制御部２０８によって設定されたＺＡＣ系列及び循環シフト量に基づいて応答信号及び参照信号を１次拡散し、１次拡散後の応答信号及び参照信号を２次拡散部２１５へ出力する。すなわち、１次拡散部２１４は、制御部２０８からの指示に従って、応答信号及び参照信号を１次拡散する。
【００８６】
２次拡散部２１５は、制御部２０８によって設定された直交符号系列を用いて応答信号及び参照信号を２次拡散し、２次拡散後の信号をＩＦＦＴ部２１６へ出力する。つまり、２次拡散部２１５は、１次拡散後の応答信号及び参照信号を制御部２０８で選択されたＰＵＣＣＨリソースに対応する直交符号系列を用いて２次拡散し、拡散後の信号をＩＦＦＴ部２１６へ出力する。
【００８７】
ＣＰ付加部２１７は、ＩＦＦＴ後の信号の後尾部分と同じ信号をＣＰとしてその信号の先頭に付加する。
【００８８】
無線送信部２１８は、入力される信号に対しＤ／Ａ変換、増幅およびアップコンバート等の送信処理を行う。そして、無線送信部２１８は、アンテナから基地局１００へ信号を送信する。
【００８９】
［基地局１００及び端末２００の動作］
以上の構成を有する基地局１００及び端末２００の動作について説明する。以下の説明では、図４と同様に、下り単位バンド１で送信される下り回線データ向けの下り割当制御情報に用いられた下り制御情報割当リソースに対応付けられた応答信号リソースをＰＵＣＣＨリソース１、下り単位バンド２で送信される下り回線データ向けの下り割当制御情報に用いられた下り制御情報割当リソースに対応付けられた応答信号リソースをＰＵＣＣＨリソース２、下り単位バンド３で送信される下り回線データ向けの下り割当制御情報に用いられた下り制御情報割当リソースに対応付けられた応答信号リソースをＰＵＣＣＨリソース３と定義している。
【００９０】
〈基地局１００による下り割当制御情報及び下り回線データの送信〉
基地局１００は、予め端末２００に対して設定(Configure)した単位バンドグループに含まれる下り単位バンド群の中から少なくとも１つの下り単位バンドを選択し、選択された下り単位バンドを用いて、下り割当制御情報（及び下り回線データ）を送信することが可能である。ここでは、下り単位バンド１〜３が単位バンドグループに含まれているので、基地局１００は、最大３つの下り単位バンドを選択することができる。また、基地局１００は、サブフレーム毎に異なる下り単位バンドを選択することができる。すなわち、予め端末２００に対して下り単位バンド１，２，３が設定されているとすると、基地局１００は、或るサブフレームにおいて端末２００に対して下り単位バンド１及び３を用いて下り割当制御情報を送信し、次のサブフレームにおいて下り単位バンド１から３の全てを用いて下り割当制御情報を送信することが可能である。
【００９１】
〈端末２００による下り割当制御情報及び下り回線データの受信〉
端末２００では、自装置に設定された単位バンドグループの全ての下り単位バンドにおいて、サブフレーム毎に自装置宛の下り割当制御情報が送信されているか否かをブラインド判定する。
【００９２】
具体的には、判定部２０７は、各下り単位バンドの下り制御チャネルに自装置宛の下り割当制御情報が含まれているか否かを判定する。そして、判定部２０７は、自装置宛の下り割当制御情報が含まれていると判定した場合には、その下り割当制御情報を抽出部２０４へ出力する。また、判定部２０７は、自装置宛の下り割当制御情報を検出した下り単位バンドの識別情報を制御部２０８へ出力する。これにより、いずれの下り単位バンドにおいて自装置宛の下り割当制御情報が検出されたかが制御部２０８に通知される。
【００９３】
抽出部２０４は、判定部２０７から受け取る下り割当制御情報に基づいて、受信信号から下り回線データを抽出する。抽出部２０４は、下り割当制御情報に含まれるリソース情報に基づいて、受信信号から下り回線データを抽出する。
【００９４】
具体的には、下り単位バンド１で送信される下り割当制御情報には、下り単位バンド１で送信される下り回線データ（DL data）の送信に用いられるリソースに関する情報が含まれ、下り単位バンド２で送信される下り割当制御情報には、下り単位バンド２で送信される下り回線データの送信に用いられるリソースに関する情報が含まれる。
【００９５】
従って、端末２００は、下り単位バンド１で送信される下り割当制御情報及び下り単位バンド２で送信される下り割当制御情報を受信することにより、下り単位バンド１及び下り単位バンド２の両方で下り回線データを受信することができる。逆に、端末がある下り単位バンドにおいて下り割当制御情報を受信することができなければ、端末２００は、当該下り単位バンドにおける下り回線データを受信することができない。
【００９６】
〈端末２００による応答〉
ＣＲＣ部２１１は、受信に成功した下り割当制御情報に対応する下り回線データについて誤り検出を行い、誤り検出結果を制御部２０８へ出力する。
【００９７】
そして、制御部２０８は、ＣＲＣ部２１１から受け取る誤り検出結果に基づいて、次のように応答信号の送信制御を行う。図８乃至図１０は、端末２００による応答信号の送信方法の説明に供する図である。ここで注目すべき点は、図８乃至図１０では、“ＤＴＸ”の状態が扱われていない点である。これは、基地局１００から端末２００に送信される下り割当制御情報にはＤＡＩが含まれないので、端末が下り割当制御情報の受信ミスを全く認識できないからである。
【００９８】
すなわち、制御部２０８は、自装置宛の下り割当制御情報が検出された下り単位バンドのパターン、及び、その下り割当制御情報と対応する下り回線データの受信成否のパターンに基づいて、図８乃至図１０に示される応答信号の送信ルールのいずれかを用いて応答信号を送信する。
【００９９】
具体的には、制御部２０８は、まず、自装置宛の下り割当制御情報が検出された下り単位バンドの数に基づいて、応答信号送信ルールテーブルを選択する。自装置宛の下り割当制御情報が検出された下り単位バンドの数が１つのときには、図８の送信ルールテーブルが選択され、２つのときには、図９の送信ルールテーブルが選択され、３つのときには、図１０の送信ルールテーブルが選択される。図８乃至図１０に示される送信ルールテーブルのそれぞれには、自装置宛の下り割当制御情報が検出された下り単位バンドのパターン候補とその下り割当制御情報と対応する下り回線データの受信成否のパターン候補との各組み合わせに対応する、応答信号送信リソース及び応答信号に用いられる位相点が示されている。
【０１００】
そして、制御部２０８は、自装置宛の下り割当制御情報が検出された下り単位バンドのパターン及びその下り割当制御情報と対応する下り回線データの受信成否のパターンに対応する、選択したルールテーブル内の使用対象送信リソース及び使用対象位相点を特定する。そして、制御部２０８は、使用対象位相点の応答信号が使用対象送信リソースで送信されるように制御する。
【０１０１】
ここで、図８乃至図１０の送信ルールテーブルに示されるルールについて説明する。まず、図８は、自装置宛の下り割当制御情報が検出された下り単位バンドの数が１つのときに用いられる送信ルールテーブルである。図８において、検出された下り割当制御情報に対応する下り回線データの受信に成功した場合には、(-1,0)の位相点が割当られている。すなわち、ＡＣＫには、位相点(-1,0)が対応付けられている。一方、検出された下り割当制御情報に対応する下り回線データの受信に失敗した場合には、(1,0)の位相点が用いられる。すなわち、ＮＡＣＫには、位相点(1,0)が対応付けられている。また、使用対象送信リソースには、検出された下り割当制御情報が占有していたＣＣＥと対応付けられているＰＵＣＣＨリソースが用いられる。
【０１０２】
そして、図９は、自装置宛の下り割当制御情報が検出された下り単位バンドの数が２つのときに用いられる送信ルールテーブルである。図９において、検出された２つの下り割当制御情報に対応する下り回線データの両方の受信に成功した場合には、(0,j)の位相点が用いられる。すなわち、ＡＣＫ／ＡＣＫには、位相点(0,j)が対応付けられている。また、検出された２つの下り割当制御情報に対応する下り回線データの一方のみの受信に成功した場合には、(-1,0)の位相点が用いられる。すなわち、ＡＣＫ／ＮＡＣＫ及びＮＡＣＫ／ＡＣＫには、位相点(-1,0)が対応付けられている。また、検出された２つの下り割当制御情報に対応する下り回線データの両方の受信に失敗した場合には、(1,0)の位相点が用いられる。すなわち、ＮＡＣＫ／ＮＡＣＫには、位相点(1,0)が対応付けられている。
【０１０３】
一方、使用対象送信リソースには、次のようなルールがある。すなわち、まず、基本的なルールとして、検出された下り割当制御情報が占有していたＣＣＥと対応付けられているＰＵＣＣＨリソースが用いられる（ルール１）。次に、検出された２つの下り割当制御情報に対応する下り回線データの一方のみの受信に成功した場合には、その受信に成功した下り回線データに対する下り割当制御情報が占有していたＣＣＥと対応付けられているＰＵＣＣＨリソースが用いられる（ルール２）。これにより、検出された２つの下り割当制御情報に対応する下り回線データの一方のみの受信に成功する場合として２パターンが存在し、いずれのパターンにおいても位相点(-1,0)が用いられるが、両パターンの間で使用対象送信リソースを異ならせることにより、両パターンの区別が可能となる。次に、ＡＣＫ／ＡＣＫ及びＮＡＣＫ／ＮＡＣＫには、自装置宛の下り割当制御情報が検出された下り単位バンドのパターン間で異なるＰＵＣＣＨリソースが用いられる（ルール３）。ここでは、自装置宛の下り割当制御情報が検出された下り単位バンドの内で識別番号が大きい方に対応するＰＵＣＣＨリソースが、ＡＣＫ／ＡＣＫ及びＮＡＣＫ／ＮＡＣＫの使用対象送信リソースとされている。なお、自装置宛の下り割当制御情報が検出された下り単位バンドが単位バンド１，３の場合（つまり、ＣＣ３／１の場合）には、単位バンド１に対応するＰＵＣＣＨリソース１が用いられる。
【０１０４】
そして、図１０は、自装置宛の下り割当制御情報が検出された下り単位バンドの数が３つのときに用いられる送信ルールテーブルである。図１０において、検出された３つの下り割当制御情報に対応する下り回線データの全ての受信に成功した場合には、(0,-j)の位相点が用いられる。すなわち、ＡＣＫ／ＡＣＫ／ＡＣＫには、位相点(0,-j)が対応付けられている。また、検出された３つの下り割当制御情報に対応する下り回線データの内で２つについてのみ受信に成功した場合には、(0,j)の位相点が用いられる。すなわち、ＡＣＫ／ＮＡＣＫ／ＡＣＫ、ＡＣＫ／ＡＣＫ／ＮＡＣＫ及びＮＡＣＫ／ＡＣＫ／ＡＣＫには、位相点(0,j)が対応付けられている。また、検出された３つの下り割当制御情報に対応する下り回線データの内で１つについてのみ受信に成功した場合には、(-1,0)の位相点が用いられる。すなわち、ＡＣＫ／ＮＡＣＫ／ＮＡＣＫ、ＮＡＣＫ／ＡＣＫ／ＮＡＣＫ及びＮＡＣＫ／ＮＡＣＫ／ＡＣＫには、位相点(-1,0)が対応付けられている。また、検出された３つの下り割当制御情報に対応する下り回線データの全ての受信に失敗した場合には、(1,0)の位相点が用いられる。すなわち、ＮＡＣＫ／ＮＡＣＫ／ＮＡＣＫには、位相点(1,0)が対応付けられている。
【０１０５】
一方、使用対象送信リソースには、次のようなルールがある。すなわち、まず、基本的なルールとして、検出された下り割当制御情報が占有していたＣＣＥと対応付けられているＰＵＣＣＨリソースが用いられる（ルール１）。次に、検出された３つの下り割当制御情報に対応する下り回線データの内で１つについてのみの受信に成功した場合には、その受信に成功した下り回線データに対する下り割当制御情報が占有していたＣＣＥと対応付けられているＰＵＣＣＨリソースが用いられる（ルール２）。次に、検出された３つの下り割当制御情報に対応する下り回線データの内で２つについてのみ受信に成功した場合には、その受信に成功した下り単位バンドのパターン間で異なるＰＵＣＣＨリソースが用いられる（ルール３）。ここでは、下り回線データの受信に成功した下り単位バンドの内で識別番号が大きい方に対応するＰＵＣＣＨリソースが、ＡＣＫ／ＮＡＣＫ／ＡＣＫ、ＡＣＫ／ＡＣＫ／ＮＡＣＫ及びＮＡＣＫ／ＡＣＫ／ＡＣＫの使用対象送信リソースとされている。なお、下り単位バンド２で下り回線データの受信に失敗した場合、つまり、ＡＣＫ／ＮＡＣＫ／ＡＣＫの場合には、単位バンド１に対応するＰＵＣＣＨリソース１が用いられる。次に、ＡＣＫ／ＡＣＫ／ＡＣＫ及びＮＡＣＫ／ＮＡＣＫ／ＮＡＣＫには、予め定められたＰＵＣＣＨリソースが用いられる（ルール４）。ここでは、下り回線データの受信に成功した下り単位バンドの内で識別番号が大きい単位バンド３に対応するＰＵＣＣＨリソース３が用いられる。
【０１０６】
以上で説明したルール全体について纏めると、次のような特徴がある。
【０１０７】
まず、自装置宛の下り割当制御情報が検出された下り単位バンドのパターンに関わらず、つまり、自装置宛の下り割当制御情報が検出された下り単位バンドの数に関わらず、受信に成功した下り回線データの数（つまり、ＡＣＫの数）に応じて異なる信号点が用いられ、且つ、受信に成功した下り回線データの数が同じ場合には必ず同一の信号点が用いられる（特徴１）。すなわち、送信ルールテーブルでは、誤り検出結果のパターン候補と応答信号の位相点とが対応づけられ、パターンに含まれるＡＣＫの数が異なるパターン候補群には互いに異なる位相点が対応付けられ、ＡＣＫの数が同じであるパターン候補群には同じ位相点が対応付けられる。こうすることで、検出された下り割当制御情報に対応する下り回線データの全ての受信に成功した場合でも、受信に成功した下り回線データの数が異なれば、異なる位相点が用いられる。ここでは、受信に成功した下り回線データの数が１つの場合（ＡＣＫ、ＡＣＫ／ＮＡＣＫ、ＮＡＣＫ／ＡＣＫ、ＡＣＫ／ＮＡＣＫ／ＮＡＣＫ、ＮＡＣＫ／ＡＣＫ／ＮＡＣＫ、ＮＡＣＫ／ＮＡＣＫ／ＡＣＫ）には、位相点(-1,0)が用いられ、受信に成功した下り回線データの数が２つの場合（ＡＣＫ／ＡＣＫ、ＮＡＣＫ／ＡＣＫ／ＡＣＫ、ＡＣＫ／ＮＡＣＫ／ＡＣＫ、ＡＣＫ／ＡＣＫ／ＮＡＣＫ）には、位相点(0,j)が用いられ、受信に成功した下り回線データの数が３つの場合（ＡＣＫ／ＡＣＫ／ＡＣＫ）には、位相点(0,-j)が用いられる。また、受信に成功した下り回線データが１つも無い場合（ＮＡＣＫ、ＮＡＣＫ／ＮＡＣＫ、及びＮＡＣＫ／ＮＡＣＫ／ＮＡＣＫ）には、位相点(1,0)が用いられる。すなわち、すべてがＮＡＣＫの場合には、自装置宛の下り割当制御情報が検出された下り単位バンドの数に関わらず、同じ信号点(1,0)が用いられる。
【０１０８】
また、受信に成功した下りデータ回線の数が１つの場合には、その下り回線データ向けの下り割当制御情報が占有していたＣＣＥと対応付けられているＰＵＣＣＨリソースが用いられる（特徴２）。
【０１０９】
また、受信に成功した下りデータ回線の数が２以上の場合（ただし、検出された複数の下り割当制御情報に対応する下り回線データの全ての受信に成功した場合を除く）には、その受信に成功した下り単位バンドのパターン（組み合わせ）間で異なるＰＵＣＣＨリソースが用いられる（特徴３）。すなわち、送信ルールテーブルでは、誤り検出結果のパターン候補と応答信号がマッピングされる上り制御チャネルのリソースとが対応付けられ、ＡＣＫの数が同じであるパターン候補群には互いに異なるリソースが対応づけられる。
【０１１０】
〈基地局１００による再送制御〉
再送制御信号生成部１１９は、端末２００からの応答信号に基づいて、下記のように再送制御信号を生成し、データ送信制御部１０６に出力する。図１１乃至図１３は、基地局１００による再送制御方法の説明に供する図である。
【０１１１】
すなわち、再送制御信号生成部１１９は、自装置が端末２００に対して下り割当制御情報及び下り回線データを送信した下り単位バンドの数、端末２００から送信されてきた応答信号が検出されたリソース識別情報、及び、その応答信号の位相点に基づいて、再送制御信号を生成する。
【０１１２】
具体的には、再送制御信号生成部１１９は、まず、自装置が端末２００に対して下り割当制御情報及び下り回線データを送信した下り単位バンドの数に基づいて、応答信号の解釈ルールテーブルを選択する。その下り単位バンドの数が１つのときには、図１１のルールテーブルが選択され、２つのときには、図１２の解釈ルールテーブルが選択され、３つのときには、図１３の解釈ルールテーブルが選択される。図１１乃至図１３に示される解釈ルールテーブルのそれぞれには、応答信号が取り得る位相点及びその位相点から解釈できる端末２００における受信成否状況が示されている。この応答信号が取り得る位相点及びその位相点から解釈できる端末２００における受信成否状況は、自装置が端末２００に対して下り割当制御情報及び下り回線データを送信した下り単位バンドのパターンと端末２００からの応答信号が検出されたＰＵＣＣＨリソースとの組み合わせごとに示されている。
【０１１３】
そして、再送制御信号生成部１１９は、選択した解釈ルールテーブルを用いて、自装置が端末２００に対して下り割当制御情報及び下り回線データを送信した下り単位バンドのパターン、応答信号を検出したＰＵＣＣＨリソース、及びその応答信号の位相点に基づいて、再送制御パターンを特定する。そして、再送制御信号生成部１１９は、特定した再送制御パターンに応じた再送制御信号を生成する。
【０１１４】
ここで、図１１乃至図１３の解釈ルールテーブルに示されるルールについて説明する。図１１乃至図１３の解釈ルールテーブルの基本構成は、図８乃至図１０に示される送信ルールテーブルと一致する。ただし、図８乃至図１０に示される送信ルールテーブルでは、ＡＣＫが一つもない状態に対応する位相点は、下り割当制御信号が検出された単位バンドのパターンのどれであっても１つのＰＵＣＣＨリソースにだけ存在している。一方、図１１乃至図１３の解釈ルールテーブルでは、ＡＣＫが一つもない状態に対応する位相点は、下り割当制御信号が検出された単位バンドの全てに存在する。例えば、図１１の解釈ルールテーブルのセル（１，１）には、図８の送信ルールテーブルのセル（１，１）には存在しない位相点(1,0)が存在する。
【０１１５】
まず、図１１は、基地局１００が端末２００に対して下り割当制御情報及び下り回線データを送信した下り単位バンドの数が１つのときに用いられる解釈ルールテーブルである。図１１において、位相点(-1,0)はＡＣＫを意味し、位相点(1,0)はＮＡＣＫを意味する。また、応答信号が検出されたＰＵＣＣＨリソースを特定することにより、その応答信号の示す端末２００での受信成否情報が関わる下り回線データが送信された下り単位バンドを特定することができる。例えば、ＰＵＣＣＨリソース１で応答信号が検出されれば、その応答信号は、単位バンド１で送信された下り回線データに対する応答信号であると解釈される。
【０１１６】
そして、図１２は、基地局１００が端末２００に対して下り割当制御情報及び下り回線データを送信した下り単位バンドの数が２つのときに用いられる解釈ルールテーブルである。図１２において、位相点(0,j)は、両方の受信が成功したこと、つまり、ＡＣＫ／ＡＣＫを意味する。
【０１１７】
ここで、着目すべきは、位相点(-1,0)及び位相点(1,0)の場合である。前述したように端末２００は、或るサブフレームで送信された２つの下り回線データの内の１つについてのみ受信に成功した場合（つまり、ＡＣＫ／ＮＡＣＫ及びＮＡＣＫ／ＡＣＫの場合）に、位相点(-1,0)の応答信号を送信してくる。一方、端末２００は、或るサブフレームで送信された２つの下り割当制御情報の一方のみ受信に成功し、その一方の下り割当制御情報に対応する下り回線データの受信に成功した場合（つまり、ＡＣＫ／ＤＴＸ及びＤＴＸ／ＡＣＫの場合）にも、位相点(-1,0)の応答信号を送信してくる。従って、２つの場合で同じ位相点(-1,0)が用いられることになる。しかしながら、ＮＡＣＫ及びＤＴＸは、基地局１００では同等に扱うことができる。すなわち、基地局１００は、ＮＡＣＫであってもＤＴＸであってもどちらにしても、下り回線データを再送するように制御する。従って、基地局１００は、位相点(-1,0)の応答信号を受信したときには、その応答信号を検出した下り単位バンドの下り回線データの送信には成功し、もう１つの下り回線データの送信には失敗したと判断して、送信に失敗した下り回線データを送信する。こうすることで、基地局１００は、端末２００における下り割当制御情報の受信成否パターンを正確には把握できないが、受信成否パターンの把握が正確でなくても再送制御に不具合は生じない。
【０１１８】
また、前述したように端末２００は、或るサブフレームで送信された２つの下り回線データの両方の受信に失敗した場合（つまり、ＮＡＣＫ／ＮＡＣＫの場合）に、位相点(1,0)の応答信号を送信してくる。一方、端末２００は、或るサブフレームで送信された２つの下り割当制御情報の一方のみ受信に成功し、その一方の下り割当制御情報に対応する下り回線データの受信に失敗した場合（つまり、ＮＡＣＫ／ＤＴＸ及びＤＴＸ／ＮＡＣＫの場合）にも、位相点(1,0)の応答信号を送信してくる。従って、２つの場合で同じ位相点(1,0)が用いられることになる。しかしながら、ＮＡＣＫ及びＤＴＸは、基地局１００では同等に扱うことができる。すなわち、基地局１００は、ＮＡＣＫであってもＤＴＸであってもどちらにしても、下り回線データを再送するように制御する。従って、基地局１００は、位相点(1,0)の応答信号を受信したときには、２つの下り回線データの両方の送信に失敗したと判断して、両方の下り回線データを送信する。こうすることで、基地局１００は、端末２００における下り割当制御情報の受信成否パターンを正確には把握できないが、受信成否パターンの把握が正確でなくても再送制御に不具合は生じない。
【０１１９】
なお、図１２の解釈ルールテーブルには、図９の送信ルールテーブルに現れない信号点が存在する。例えば、図１２のセル（１，１）の位相点(1,0)である。この種の位相点(1,0)は、応答信号が検出された単位バンドでは下り割当制御情報の受信に成功し下り回線データの受信に失敗し、その他の単位バンドでは下り割当制御情報の受信に失敗したことを示している。この種の位相点(1,0)の応答信号を受け取ったときにも、基地局１００は、２つの下り回線データの両方の送信に失敗したと判断して、両方の下り回線データを送信すれば良い。要は、位相点(1,0)の応答信号を受け取ったときには、その応答信号が検出されたＰＵＣＣＨリソースに関わらず、基地局１００は、すべての下り回線データを再送すれば良い。
【０１２０】
そして、図１３は、基地局１００が端末２００に対して下り割当制御情報及び下り回線データを送信した下り単位バンドの数が３つのときに用いられる解釈ルールテーブルである。図１３において、位相点(0,-j)は、すべての受信が成功したこと、つまり、ＡＣＫ／ＡＣＫ／ＡＣＫを意味する。
【０１２１】
ここで、着目すべきは、位相点(-1,0)、位相点(1,0)、及び位相点(0,j)の場合である。これらの位相点においても、図１２の基地局１００が端末２００に対して下り割当制御情報及び下り回線データを送信した下り単位バンドの数が２つのときと同様に、１つの位相点が複数の受信成否パターンを意味することになる。しかしながら、ＮＡＣＫ及びＤＴＸは、基地局１００では同等に扱うことができるので、再送制御に不具合は生じない。
【０１２２】
ここでは図１２を用いた説明では無かった位相点(0,j)についてだけ取り上げて説明する。前述したように端末２００は、或るサブフレームで送信された３つの下り回線データの内の２つについてのみ受信に成功した場合（つまり、ＡＣＫ／ＮＡＣＫ／ＡＣＫ、ＡＣＫ／ＡＣＫ／ＮＡＣＫ、及びＮＡＣＫ／ＡＣＫ／ＡＣＫの場合）に、位相点(0,j)の応答信号を送信してくる。一方、端末２００は、或るサブフレームで送信された３つの下り割当制御情報の内の２つについてのみ受信に成功し、その両方の下り割当制御情報に対応する下り回線データの受信に成功した場合（つまり、ＡＣＫ／ＤＴＸ／ＡＣＫ、ＡＣＫ／ＡＣＫ／ＤＴＸ、及びＤＴＸ／ＡＣＫ／ＡＣＫの場合）にも、位相点(0,j)の応答信号を送信してくる。従って、２つの場合で同じ位相点(0,j)が用いられることになる。しかしながら、ＮＡＣＫ及びＤＴＸは、基地局１００では同等に扱うことができる。すなわち、基地局１００は、ＮＡＣＫであってもＤＴＸであってもどちらにしても、下り回線データを再送するように制御する。従って、基地局１００は、位相点(0,j)の応答信号を受信したときには、その応答信号を検出した２つの下り単位バンドの下り回線データの送信には成功し、もう１つの下り回線データの送信には失敗したと判断して、送信に失敗した下り回線データを送信する。こうすることで、基地局１００は、端末２００における下り割当制御情報の受信成否パターンを正確には把握できないが、受信成否パターンの把握が正確でなくても再送制御に不具合は生じない。
【０１２３】
以上のように本実施の形態によれば、端末２００において、制御部２０８が、自装置に設定された単位バンドグループに含まれる下り単位バンドで受信した下り回線データの受信成否のパターンに基づいて応答信号の送信制御を行う。そして、制御部２０８は、その受信成否のパターンにおける、受信に成功した下り回線データの数、つまり、ＡＣＫの数に応じて、応答信号の位相点を異ならせ、且つ、ＡＣＫの数が同じ受信成否のパターンが複数有る場合、受信成否パターン間で応答信号の位相点を一致させる。すなわち、端末２００が選択する応答信号の位相点は、受信成否のパターンにおける、受信に成功した下り回線データの数（つまり、ＡＣＫの数）に応じて異なり、且つ、複数の受信成否のパターンでＡＣＫの数が同じ場合にはその受信成否パターン間で必ず同一となる。
【０１２４】
こうすることで、ＤＡＩを用いなくても、端末２００における下り回線データの復号成否がいかなる状況であったとしても、端末２００への下り回線データの到達状況（つまり、端末２００が下り回線データの復号に成功した下り単位バンドの数）に関する認識が、基地局１００と端末２００とでずれることはない。これにより、下り割当制御情報の受信成否パターンの把握が正確でなくても、基地局１００は、不都合無く再送制御を行うことができる。すなわち、複数の下り単位バンドを用いたCarrier aggregation通信が適用される場合に、下り割当制御情報のオーバーヘッドの増加を抑えつつ、各下り単位バンドで送信される下り回線データの品質を維持することができる端末を実現することができる。
【０１２５】
また、制御部２０８は、ＡＣＫの数が同じ受信成否パターンが複数存在する場合、受信成否パターンごとに異なるＰＵＣＣＨリソースに、応答信号をマッピングする。すなわち、ＡＣＫの数が同じ受信成否のパターンが複数有る場合、受信成否パターン間で応答信号の位相点は一致するが、マッピングされるＰＵＣＣＨリソースは受信成否パターン間で異なっている。
【０１２６】
こうすることで、応答信号の受信側である基地局１００が、応答信号を受信したＰＵＣＣＨリソースに基づいて、下り回線データの受信に成功した下り単位バンドの組み合わせを特定することができる。すなわち、ＤＡＩを用いなくても、端末２００における下り回線データの復号成否がいかなる状況であったとしても、端末２００への下り回線データの到達状況（つまり、端末２００がどの下り単位バンドを介して送信された下り回線データの復号に成功したかに関する状況）に関する認識が、基地局１００と端末２００との間でずれることはない。これにより、下り割当制御情報の受信成否パターンの把握が正確でなくても、基地局１００は、不都合無く再送制御を行うことができる。
【０１２７】
また、基地局１００において、再送制御信号生成部１１９が、受信側から送信されてきた応答信号に基づいて、下り回線データの再送を制御する。具体的には、再送制御信号生成部１１９は、受信側から送信されてきた応答信号と、応答信号から受信側における受信状況を解釈する解釈ルールテーブルとに基づいて特定される受信側の受信状況に応じた再送制御を行う。解釈ルールテーブルでは、受信側で受信に成功した下り回線データの数（つまり、ＡＣＫの数）に応じて異なる位相点が対応付けられ、且つ、ＡＣＫの数が同じ受信成否のパターンが複数有る場合、下り回線データに関する受信成否パターン間で同一の位相点が対応付けられる。
【０１２８】
こうすることで、ＤＡＩを用いなくても、端末２００における下り回線データの復号成否がいかなる状況であったとしても、端末２００への下り回線データの到達状況（つまり、端末２００が下り回線データの復号に成功した下り単位バンドの数）に関する認識が、基地局１００と端末２００とでずれることはない。これにより、受信成否パターンの把握が正確でなくても、基地局１００は、再送制御することができる。
【０１２９】
また、解釈ルールテーブルでは、ＡＣＫの数が同じ受信成否パターンが複数存在する場合、受信成否パターンごとに異なるＰＵＣＣＨリソースと対応付けられる。
【０１３０】
こうすることで、再送制御信号生成部１１９は、ＡＣＫの数が同じ受信成否パターンが複数存在する場合でも、応答信号を受信したＰＵＣＣＨリソースに基づいて、下り回線データの受信に成功した下り単位バンドの組み合わせを特定することができる。すなわち、ＤＡＩを用いなくても、端末２００における下り回線データの復号成否がいかなる状況であったとしても、端末２００への下り回線データの到達状況（つまり、端末２００がどの下り単位バンドを介して送信された下り回線データの復号に成功したかに関する状況）に関する認識が、基地局１００と端末２００との間でずれることはない。これにより、下り割当制御情報の受信成否パターンの把握が正確でなくても、基地局１００は、不都合無く再送制御を行うことができる。
【０１３１】
なお、以上の説明では、単位バンドグループに３つの下り単位バンドが含まれる場合を前提としたので、変調方式もＢＰＳＫ及びＱＰＳＫが採用されるものとして説明した。しかしながら、本発明はこれに限定されるものではなく、より高次の変調方式である８相ＰＳＫ、１６ＱＡＭ等を採用することができる。高次の変調方式を採用する場合には、上述した送信ルールの特徴を踏襲した、採用された変調方式に応じたルールを用いることにより、単位バンドグループに４つ以上の下り単位バンドが含まれる場合でも、ＤＡＩを用いずに、不都合の無い再送制御を実現することができる。
【０１３２】
また、以上の説明では、非対称Carrier aggregationが採用され、且つ、単位バンドグループに含まれる各下り単位バンドと対応付けられている上り制御チャネルのリソースが全て１つの上り単位バンド内に有ることを前提として説明した。しかしながら、本発明はこれに限定するものではなく、対称Carrier aggregationが採用されても良いし、単位バンドグループに含まれる下り単位バンドのそれぞれと対応付けられている複数の上り制御チャネルリソースの少なくとも一部が、異なる単位バンドに設けられても良い。要は、下り単位バンドごとに異なる上り制御チャネルリソースが対応付けられていれば良い。
【０１３３】
また、以上の説明では、１次拡散にＺＡＣ系列を用い、２次拡散にブロックワイズ拡散コード系列を用いる場合について説明した。しかし、１次拡散には、ＺＡＣ系列以外の、互いに異なる循環シフト量により互いに分離可能な系列を用いても良い。例えば、ＧＣＬ（Generalized Chirp like）系列、ＣＡＺＡＣ（Constant Amplitude Zero Auto Correlation）系列、ＺＣ（Zadoff-Chu）系列、Ｍ系列や直交ゴールド符号系列等のＰＮ系列、または、コンピュータによってランダムに生成された時間軸上での自己相関特性が急峻な系列等を１次拡散に用いても良い。また、２次拡散には、互いに直交する系列、または、互いにほぼ直交すると見なせる系列であればいかなる系列をブロックワイズ拡散コード系列として用いてもよい。例えば、ウォルシュ系列またはフーリエ系列等をブロックワイズ拡散コード系列として２次拡散に用いることができる。以上の説明では、ＺＡＣ系列の循環シフト量とブロックワイズ拡散コード系列の系列番号とによって応答信号のリソース（例えば、ＰＵＣＣＨリソース）が定義されている。
【０１３４】
（実施の形態２）
実施の形態１では、基本的に、基地局１００が端末２００に対して最大３つの下り単位バンドが含まれる単位バンドグループを設定することを前提とした。これに対して、実施の形態２では、基地局が端末に対して４つ以上の下り単位バンドを含む単位バンドグループを設定することを前提とする。これにより、実施の形態２では、より多くの下り単位バンド数を用いたCarrier aggregation通信が可能となる。
【０１３５】
以下、具体的に説明する。実施の形態２に係る基地局及び端末の基本構成は、実施の形態１と同様であるので、図６と図７を援用して説明する。
【０１３６】
〈基地局１００による下り割当制御情報及び下り回線データの送信〉
実施の形態２の基地局１００は、１００は、予め端末２００に対して設定した単位バンドグループに含まれる下り単位バンド群の中から少なくとも１つの下り単位バンドを選択し、選択された下り単位バンドを用いて、下り割当制御情報（及び下り回線データ）を送信することが可能である。ここでは、下り単位バンド１〜４が単位バンドグループに含まれているので、基地局１００は、最大４つの下り単位バンドを選択することができる。また、基地局１００は、サブフレーム毎に異なる下り単位バンドを選択することができる。すなわち、予め端末２００に対して下り単位バンド１，２，３，４が設定されているとすると、基地局１００は、或るサブフレームにおいて端末２００に対して下り単位バンド１，２を用いて下り割当制御情報を送信し、次のサブフレームにおいて下り単位バンド１から４の全てを用いて下り割当制御情報を送信することが可能である。
【０１３７】
また、実施の形態２の基地局１００の制御情報生成部１０２は、単位バンドグループに含まれる下り単位バンド群の内の特定のペア（以下では、「下り単位バンドペア」と呼ぶ）で送信される下り割当制御情報にのみ、前述のＤＡＩに準ずる1bitの情報（Partial DAI：PDAI）を挿入する。すなわち、ＰＤＡＩは、下り単位バンドペアにおける下り割当制御情報の配置状況を示す。例えば、下り単位バンド３，４で送信される下り割当制御情報にのみＰＤＡＩが挿入される。すなわち、下り単位バンド３で送信される下り割当制御情報には下り単位バンド４での割当状況を示すＰＤＡＩが挿入され、下り単位バンド４で送信される下り割当制御情報には下り単位バンド３での割当状況を示すＰＤＡＩが挿入される。
【０１３８】
〈端末２００による下り割当制御情報及び下り回線データの受信〉
実施の形態２の端末２００では、自装置に設定された単位バンドグループの全ての下り単位バンドにおいて、サブフレーム毎に自装置宛の下り割当制御情報が送信されているか否かをブラインド判定する。
【０１３９】
ただし、端末２００において、判定部２０７は、下り単位バンド３で下り割当制御情報を受信したが下り単位バンド４で下り割当制御情報を受信しなかった場合には、下り単位バンド３を介して受信された下り割当制御情報の中に含まれているＰＤＡＩより下り単位バンド４における下り回線データの割当状況を確認し、自装置が下り単位バンド４における下り割当制御情報の受信に失敗したのか、基地局１００がそもそも下り単位バンド４では下り割当制御情報を送信していなかったのかを判別する。逆に、下り単位バンド４で下り割当制御情報を受信したが下り単位バンド３で下り割当制御情報を受信しなかった場合には、下り単位バンド４を介して受信された下り割当制御情報の中に含まれているＰＤＡＩより下り単位バンド３における下り回線データの割当状況を確認し、自装置が下り単位バンド３における下り割当制御情報の受信に失敗したのか、基地局１００がそもそも下り単位バンド３では下り割当制御情報を送信していなかったのかを判別する。
【０１４０】
〈端末２００による応答〉
端末２００の制御部２０８は、ＣＲＣ部２１１から受け取る誤り検出結果に基づいて、実施の形態１と同様に応答信号の送信制御を行う。
【０１４１】
ただし、制御部２０８は、下り単位バンドペアで送信された下り回線データに関する２つの誤り検出結果の論理積（Logical AND）をとることにより、１つの誤り検出結果、つまり、束ＡＣＫとする。すなわち、制御部２０８は、下り単位バンド３，４を介して送信された下り回線データに対する２つの誤り検出結果をBundlingすることにより、束ＡＣＫを得る。実施の形態２では、この束ＡＣＫを通常のＡＣＫ信号又はＮＡＣＫ信号として扱う。具体的には、下り単位バンドペアで送信された下り回線データの両方の受信に成功した場合には、束ＡＣＫはＡＣＫを示し、少なくとも一方の受信に失敗した場合には、束ＡＣＫはＮＡＣＫを示す。こうすることで、下り単位バンドが４つの場合でも、下り単位バンドが３つであることを前提とする実施の形態１と同様の制御が可能となる。
【０１４２】
より具体的には、制御部２０８は、下り単位バンド３，４を介して受信された下り回線データのいずれの復号にも成功した場合のみ、実施の形態１において下り単位バンド３での下り回線データが「ＡＣＫ」であった場合と同等に扱い、それ以外の場合（端末２００が下り単位バンド３，４を介して受信された下り回線データのいずれの復号にも成功しなかった場合、いずれか一方の下り回線データの復号に失敗した場合（下り割当制御情報の受信に成功したが下り回線データの復号に失敗した場合、又は、下り割当制御情報を検出しなかったが他の下り割当制御情報に含まれるＰＤＡＩから下り割当制御情報の受信失敗を認識した場合））には、実施の形態１において下り単位バンド３での下り回線データが「ＮＡＣＫ」であった場合と同等に扱う。この時の端末２００の送信ルールテーブルをまとめると、図１４乃至図１６のようになる。ただし、図中のＸとは「ＡＣＫ，ＮＡＣＫ，ＤＴＸ」のいずれかの状態を指す。
【０１４３】
〈基地局１００による再送制御〉
再送制御信号生成部１１９は、端末からの応答信号に基づいて、再送制御信号を生成し、データ送信制御部１０６に出力する。図１７乃至図１９は、実施の形態２の基地局１００による再送制御方法の説明に供する図である。詳細は実施の形態１と同様の動作であるためここでは割愛する。
【０１４４】
以上のように本実施の形態によれば、端末２００において、制御部２０８が、下り単位バンドペアにおける下り回線データの受信成否に関する情報を１つに纏める。つまり、束ＡＣＫとする。
【０１４５】
こうすることで、単位バンドグループに含まれる単位バンドの数が少ない場合を前提とする実施の形態１の送信制御ルールをそのまま用いることができる。すなわち、実施の形態１と同様に、端末２００は基地局１００が下り単位バンド１，２において実際に下り割当制御情報及び下り回線データを送信していたかどうかを気にすることなく、自身が受信できた下り割当制御情報に基づいて応答信号を生成するだけで、基地局１００側で適切な再送制御を行うことができる。
【０１４６】
また、基地局１００において、制御情報生成部１０２は、下り単位バンドペアで送信される下り割当制御情報にのみ、ＰＤＡＩを挿入する。
【０１４７】
こうすることで、端末２００は、下り単位バンドペアにおける下り回線データの受信成否に対してBundlingが可能なる。また、下り単位バンドペアに対するＰＤＡＩは１ビットで良い。従って、全ての下り単位バンドについてのＤＡＩが導入される場合に比べて、下り割当制御情報のオーバーヘッドの減少させることができる。
【０１４８】
なお、以上の説明では、端末２００に４つの下り単位バンドを含む単位バンドグループが設定される場合について説明したが、端末２００に５つ以上の下り単位バンドを含む単位バンドグループが設定される場合にも、実施の形態２は適用可能である。この場合、例えば、下り単位バンド２と下り単位バンド５とで送信された下り回線データに対するに対する２つの誤り検出結果がBundlingされる。
【０１４９】
また、以上の説明では、Bundlingが適用される場合について説明したが、端末２００に４つの下り単位バンドを含む単位バンドグループが設定される場合には、例えば、８相ＰＳＫを用いて新たな位相点が追加されても良い。こうすることにより、Bundlingを用いなくても４つの下り単位バンドの場合に対応できる。
【０１５０】
また、端末２００に４つの下り単位バンドを含む単位バンドグループが設定される場合においてのみ、独立したＡＣＫ／ＮＡＣＫのマッピングが用いられても良い。この場合、端末２００に送信される下り割当制御情報の中に、「４つの下り単位バンドにおいて下り割当制御情報が送信されたこと」を示すビットが追加され、当該ビットによって端末２００側で「４つの下り単位バンドにおいて下り割当制御情報が送信されたこと」を認識した場合には、例えば、図２０に示すようなＡＣＫ／ＮＡＣＫのマッピングが行われる。
【０１５１】
（他の実施の形態）
（１）上記各実施の形態では、下り回線データと、それに対応する下り割当制御情報とが同一の下り単位バンドで送信されるとしたが、本実施の形態はこれに限定されない。すなわち、下り回線データと、それに対応する下り割当制御情報が送信される単位バンドが異なっていても、上り応答信号のフィードバックにChannel selectionを使用する場合には各実施の形態を適用可能である。この場合、端末２００は、下り単位バンドＮで送信された下り回線データＮに対する下り割当制御情報Ｎ（下り単位バンドＮ内に存在するとは限らない）が占有していたＣＣＥに対応付けられたＰＵＣＣＨリソースＮを用いて応答信号を送信する。
【０１５２】
（２）上記各実施の形態では、端末２００が用いるＰＵＣＣＨリソースＮが、端末２００が受信した下り割当制御情報が占有したＣＣＥと対応付けられているとしたが、本実施の形態はこれに限定されない。例えば、ＰＵＣＣＨリソースＮが端末２００に対して、別途通知（Signaling）される場合においても本実施の形態を適用可能である。
【０１５３】
（３）上記各実施の形態では、端末に対して構成された非対称Carrier aggregationにおける単位バンドグループの中に、上り単位バンドが１つだけ含まれる場合について説明した。しかしながら、本発明はこれに限定されるものではなく、単位バンドグループの中に複数の上り単位バンドが含まれていたり、端末に対して対称Carrier aggregationが構成されている場合にも本実施の形態は適用可能である。
【０１５４】
（４）上記各実施の形態では、非対称Carrier aggregationについてのみ説明した。しかしながら、本発明はこれに限定されるものではなく、データ送信に関して対称Carrier aggregationが設定されている場合であっても適用できる。要は、端末の単位バンドグループに含まれる上り単位バンドの中に、複数のＰＵＣＣＨ領域が定義されており、下り回線データの受信成否状況に応じていずれのＰＵＣＣＨ領域におけるＰＵＣＣＨリソースを用いるか決定する場合であれば、本発明は適用可能である。
【０１５５】
（５）また、上記各実施の形態では、本発明をハードウェアで構成する場合を例にとって説明したが、本発明はソフトウェアで実現することも可能である。
【０１５６】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１５７】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１５８】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１５９】
２００９年８月７日出願の特願２００９−１８５１５２の日本出願に含まれる明細書、図面および要約書の開示内容は、すべて本願に援用される。
【産業上の利用可能性】
【０１６０】
本発明の端末装置及び再送制御方法は、複数の下り単位バンドを用いたCarrier aggregation通信が適用される場合に、下り割当制御情報のオーバーヘッドの増加を抑えつつ、各下り単位バンドで送信される下り回線データの品質を維持することができるものとして有用である。
【符号の説明】
【０１６１】
１００  基地局
１０１  制御部
１０２  制御情報生成部
１０３，１０５  符号化部
１０４，１０７，２１３  変調部
１０６  データ送信制御部
１０８  マッピング部
１０９，２１６  ＩＦＦＴ部
１１０，２１７  ＣＰ付加部
１１１，２１８  無線送信部
１１２，２０１  無線受信部
１１３，２０２  ＣＰ除去部
１１４  ＰＵＣＣＨ抽出部
１１５  逆拡散部
１１６  系列制御部
１１７  相関処理部
１１８  判定部
１１９  再送制御信号生成部
２００  端末
２０３  ＦＦＴ部
２０４  抽出部
２０５，２０９  復調部
２０６，２１０  復号部
２０７  判定部
２０８  制御部
２１１  ＣＲＣ部
２１２  応答信号生成部
２１４  １次拡散部
２１５  ２次拡散部
【図１】
0005592374.tif 000002
【図２】
0005592374.tif 000003
【図３】
0005592374.tif 000004
【図４】
0005592374.tif 000005
【図５】
0005592374.tif 000006
【図６】
0005592374.tif 000007
【図７】
0005592374.tif 000008
【図８】
0005592374.tif 000009
【図９】
0005592374.tif 000010
【図１０】
0005592374.tif 000011
【図１１】
0005592374.tif 000012
【図１２】
0005592374.tif 000013
【図１３】
0005592374.tif 000014
【図１４】
0005592374.tif 000015
【図１５】
0005592374.tif 000016
【図１６】
0005592374.tif 000017
【図１７】
0005592374.tif 000018
【図１８】
0005592374.tif 000019
【図１９】
0005592374.tif 000020
【図２０】
0005592374.tif 000021